【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
感光体と、
画像データに基づき前記感光体を光で走査して前記感光体に潜像を形成する走査手段と、
前記感光体に形成された前記潜像にトナーを付着させることにより前記感光体に画像を形成する現像手段と、
前記走査手段の構成及び形成する画像の濃度に起因する前記画像の主走査方向の濃度変化を低減させる様に前記感光体の露光量を補正する補正手段と、
を備えていることを特徴とする画像形成装置。
【請求項２】
前記走査手段は、像高に応じて走査速度が変化する光で前記感光体を走査し、かつ、前記走査速度の変化による前記感光体の露光量の変化を低減させる様に前記光を射出する光源の発光強度を補正し、
前記補正手段は、前記光の前記感光体におけるスポット径の像高による変化に起因する前記主走査方向の濃度変化を低減させる様に前記画像データが示す階調値を補正することを特徴とする請求項１に記載の画像形成装置。
【請求項３】
前記走査手段は、像高に応じて走査速度が変化する光で前記感光体を走査し、
前記補正手段は、前記走査速度の変化による前記感光体の露光量の変化に起因する前記主走査方向の濃度変化と、前記光の前記感光体におけるスポット径の像高による変化に起因する前記主走査方向の濃度変化との両方を低減させる様に前記画像データが示す階調値を補正することを特徴とする請求項１に記載の画像形成装置。
【請求項４】
前記補正手段は、さらに前記現像手段の構成に起因する前記画像の主走査方向の濃度変化を低減させる様に前記感光体の露光量を補正することを特徴とする請求項１から３のいずれか１項に記載の画像形成装置。
【請求項５】
感光体と、
画像データに基づき前記感光体を光で走査して前記感光体に潜像を形成する走査手段と、
前記感光体に形成された前記潜像にトナーを付着させることにより前記感光体に画像を形成する現像手段と、
前記現像手段の構成に起因する前記画像の主走査方向の濃度変化を低減させる様に前記感光体の露光量を補正する補正手段と、
を備えていることを特徴とする画像形成装置。
【請求項６】
前記現像手段は、前記感光体の潜像に前記トナーを付着させる現像スリーブと、前記感光体とが接触しない構成であり、
前記補正手段は、前記現像スリーブと前記感光体との距離の前記主走査方向における不均一性に起因する前記主走査方向の濃度変化を低減させる様に前記画像データが示す階調値を補正することを特徴とする請求項４又は５に記載の画像形成装置。
【請求項７】
前記現像手段は、前記トナーを格納する格納容器を有し、
前記補正手段は、前記格納容器に格納された前記トナーの流動性の前記主走査方向における不均一性に起因する前記主走査方向の濃度変化を低減させる様に前記画像データの階調値を補正することを特徴とする請求項４から６のいずれか１項に記載の画像形成装置。
【請求項８】
前記補正手段は、像高と前記画像データが示す階調値の補正量との関係を示す補正情報に基づき前記画像データが示す階調値の補正を行うことを特徴とする請求項１から７のいずれか１項に記載の画像形成装置。
【請求項９】
前記補正手段は、像高と前記画像データが示す階調値の補正量との関係を示す複数の補正情報を有し、
前記現像手段の使用状態に応じて前記複数の補正情報から選択した補正情報に基づき前記画像データが示す階調値の補正を行うことを特徴とする請求項４から７のいずれか１項に記載の画像形成装置。
【請求項１０】
前記補正手段は、像高と前記階調値の補正量との関係を示す複数の補正情報を有し、
前記現像手段が有するトナー量に応じて前記複数の補正情報から選択した補正情報に基づき前記画像データが示す階調値の補正を行うことを特徴とする請求項６に記載の画像形成装置。
【請求項１１】
前記現像手段は、前記感光体の潜像に前記トナーを付着させる現像スリーブと、前記感光体とが接触する構成であり、
前記補正手段は、像高と前記画像データが示す階調値の補正量との関係を示す複数の補正情報を有し、前記現像スリーブの累積回転時間に応じて前記複数の補正情報から選択した補正情報に基づき前記画像データが示す階調値の補正を行うことを特徴とする請求項４又は５に記載の画像形成装置。
【請求項１２】
前記画像形成装置の温度を検出する検出手段をさらに備えており、
前記補正手段は、前記複数の補正情報からの前記補正情報の選択に、前記検出手段が検出する温度も使用することを特徴とする請求項１１に記載の画像形成装置。
【請求項１３】
前記現像手段は、前記トナーを格納する格納容器を有し、
前記複数の補正情報のそれぞれは、前記格納容器に格納された前記トナーの流動性の前記主走査方向における不均一性に起因する前記主走査方向の濃度変化を低減させるための前記画像データの階調値の補正量を示すことを特徴とする請求項１１又は１２に記載の画像形成装置。
【請求項１４】
前記画像形成装置の温度を検出する検出手段をさらに備えており、
前記現像手段は、前記感光体の潜像に前記トナーを付着させる現像スリーブと、前記感光体とが接触する構成であり、
前記補正手段は、像高と前記画像データが示す階調値の補正量との関係を示す複数の補正情報を有し、前記検出手段が検出する温度に応じて前記複数の補正情報から選択した補正情報に基づき前記画像データが示す階調値の補正を行うことを特徴とする請求項４又は５に記載の画像形成装置。
【請求項１５】
画像データに対して中間調処理を行う中間調処理手段を備え、
前記補正手段は、前記画像データが示す階調値の補正を行い、
前記中間調処理手段は、前記補正手段による補正後の画像データに対して前記中間調処理を行うことを特徴とする請求項１から１４のいずれか１項に記載の画像形成装置。
【請求項１６】
前記走査手段は、像高に応じて走査速度が変化する光で前記感光体を走査し、
前記補正手段は、前記走査速度の変化による前記感光体の露光量の変化に起因する前記主走査方向の濃度変化と、前記光の前記感光体におけるスポット径の像高による変化に起因する前記主走査方向の濃度変化との両方を低減させる様に前記光を射出する光源の発光強度を補正することを特徴とする請求項１に記載の画像形成装置。
【請求項１７】
前記現像手段は、前記感光体の潜像に前記トナーを付着させる現像スリーブと、前記感光体とが接触しない構成であり、
前記補正手段は、前記現像スリーブと前記感光体との距離の前記主走査方向における不均一性に起因する前記主走査方向の濃度変化を低減させる様に前記光を射出する光源の発光強度を補正することを特徴とする請求項４又は５に記載の画像形成装置。
【請求項１８】
前記現像手段は、前記トナーを格納する格納容器を有し、
前記補正手段は、前記格納容器に格納された前記トナーの流動性の前記主走査方向における不均一性に起因する前記主走査方向の濃度変化を低減させる様に前記光を射出する光源の発光強度を補正することを特徴とすることを特徴とする請求項４又は５に記載の画像形成装置。
【請求項１９】
前記補正手段は、光が走査される方向である主走査方向のいずれの区間に対応する光であるかに応じて、前記光の発光輝度を変更する輝度変更手段と、
前記画像データのうち、前記主走査方向のいずれの区間に対応するデータであるかに応じて、濃度を変更するために画像データを変更する濃度変更手段と、
を備え、
前記輝度変更手段は、第１走査速度で走査される前記主走査方向における第１区間における第１発光輝度より、前記第１走査速度よりも速い第２走査速度で走査される前記主走査方向における第２区間における第２発光輝度の方が大きくなるように補正し、
前記濃度変更手段は、前記第１区間に対応する前記画像データの第１濃度より、前記第２区間に対応する前記画像データの第２濃度の方が薄くなるように補正することを特徴とする請求項１又は５に記載の画像形成装置。
【請求項２０】
前記濃度変更手段は、所定の濃度より薄い濃度の画像を形成する場合は前記画像データの補正を行わず、前記所定の濃度より濃い濃度の画像を形成する場合は前記画像データの補正を行うことを特徴とする請求項１９に記載の画像形成装置。
【請求項２１】
前記補正手段は、所定の濃度より薄い濃度の画像を形成する場合は第１の補正を行い、前記所定の濃度より濃い濃度の画像を行う場合は第２の補正を行い、
前記第１の補正により、第１走査速度で走査される前記主走査方向における第１区間における第１濃度に対する、前記第１走査速度よりも速い第２走査速度で走査される前記主走査方向における第２区間における前記第１濃度よりも濃い第２濃度の割合は、第１の割合となり、
前記第２の補正により、前記第１濃度に対する前記第２濃度の割合は、前記第１の割合よりも小さい第２の割合となることを特徴とする請求項１又は５に記載の画像形成装置。
【手続補正２】
【補正対象書類名】明細書
【補正対象項目名】０００８
【補正方法】変更
【補正の内容】
【０００８】
本発明の一態様によると、画像形成装置は、感光体と、画像データに基づき前記感光体を光で走査して前記感光体に潜像を形成する走査手段と、前記感光体に形成された前記潜像にトナーを付着させることにより前記感光体に画像を形成する現像手段と、前記走査手段の構成及び形成する画像の濃度に起因する前記画像の主走査方向の濃度変化を低減させる様に前記感光体の露光量を補正する補正手段と、を備えていることを特徴とする。